(57)【要約】【課題】  手すりを手軽かつ簡易に設置することができる手すりの固定構造と、便器本体の装着及び脱着に係る作業を容易なものとすることができるとともに、衛生的なものとすることができる洋式便器の固定構造とを提供する。【解決手段】  手すり１３は、和式便器１１の両側部に配置される一対の手すり本体１８と、金隠し１１Ａに押し付けられる押圧具１９Ａと、該押圧具１９Ａが押し付けられる箇所の対向位置でトイレ床１０の段差部１０Ａに当接される当接具１９Ｂとを有し、該当接具１９Ｂと該押圧具１９Ａで該和式便器１１を挟み付けるようにして該手すり１３を該和式便器１１に固定している。洋式便器１２は、和式便器１１に被せたうえ、手すり１３に取り付けられた固定装置１４によってトイレ床１０に押しつけて固定する。【選択図】      図２
2008079710.tif 000002
【特許請求の範囲】
【請求項１】
和式便器の周辺に設置される手すりの固定構造であって、
該手すりは、該和式便器の両側部に配置される一対の手すり本体と、該和式便器の金隠し又は該金隠しの周縁に押し付けられる押圧具と、該和式便器における該押圧具が押し付けられる箇所の対向位置又はトイレ床の段差部に当接される当接具とを有しており、
該当接具を該和式便器又は該段差部に当接させたうえ、さらに該押圧具を該和式便器に押し付けて、該当接具と該押圧具で該和式便器を挟み付けるようにして該手すりを該和式便器に固定することを特徴とする手すりの固定構造。
【請求項２】
該押圧具は、該一対の手すり本体の間に架設された支持梁から進退自在に延設された支持杵の端部に首振り自在に取り付けられている請求項１に記載の手すりの固定構造。
【請求項３】
該当接具は、和式便器の下方を跨ぐようにして該一対の手すり本体の下端の間に架けわたされるとともに、該一対の手すり本体に対する上下位置を調節できるように取り付けられている請求項１又は請求項２に記載の手すりの固定構造。
【請求項４】
請求項１から請求項３の何れか一項に記載の手すりの固定構造を使用して、和式便器に被せられた洋式便器の便器本体を固定する洋式便器の固定構造であって、
該手すりには該便器本体を固定するための固定装置が取り付けられており、該手すりを該和式便器に固定したうえで、該固定装置を該便器本体の周縁部外面に当接させ、さらに該固定装置で該便器本体をトイレ床に押しつけて、該便器本体をトイレ床上に固定することを特徴とする洋式便器の固定構造。
【請求項５】
該固定装置は、該手すりに設けられた取付部に回動可能に取り付けられた押圧部材と、該手すりの取付部を介して該押圧部材に螺着されたねじ部材とを備えており、
該押圧部材の一端部を該便器本体の周縁部に接触させたうえで、該押圧部材に対してねじ部材を締め付けて、該押圧部材で該便器本体を押圧する請求項４に記載の洋式便器の固定構造。
【発明の詳細な説明】
【技術分野】
【０００１】
本発明は、既設の和式便器の周囲に設置する手すりの固定構造及びその既設の和式便器に被せることによって和式便器の使用形態を洋式のものとする洋式便器の固定構造に関するものである。
【背景技術】
【０００２】
従来、高齢者、身障者にとっての使いやすさを向上させるため、既設のトイレに後付で設置する手すりが提供されている。例えば特許文献１では、手すりの脚部に取り付けられた床固定板をトイレ床面に固定している。特許文献２では、一対の手すりの下辺枠間に拡張部材を張設することによって、両手すりをトイレ壁面に押し付けて固定している。
一方、既設のトイレが和式便器である場合、高齢者、身障者にとっての使いやすさを向上させるため、その使用形態を洋式のものとするべく、特許文献３〜５に記載のような洋式便器が提供されている。特許文献３では、洋式便器の便器本体の底部に設けられたゴム部材を和式便器のリムに嵌着している。特許文献４では、引掛金具の一端を洋式便器の便器本体に引っ掛け、該引掛金具の他端を和式便器に引っ掛け、さらに圧接させている。特許文献５では、洋式便器の便器本体の後部に取り付けられた固定レバーを和式便器の金隠し内面に当接させている。
【特許文献１】特開２００２−２８２１７５号公報
【特許文献２】特開２００３−１９０８９号公報
【特許文献３】実用新案登録第２５３５９６６号公報
【特許文献４】実開平５−４３９９６号公報
【特許文献５】実用新案登録第２５５５６２９号公報
【発明の開示】
【発明が解決しようとする課題】
【０００３】
ところが、上記従来の手すりは、トイレ床面に固定するためアンカーボルトを用いたり、固定のためにトイレ壁面に手すりを押し付けたりしなければならず、煩雑な工事が必要であったり、床面、壁面に傷を付ける（穴を開ける）ことに抵抗があったりする等の問題があった。加えて、トイレ室が広い場合には、トイレ壁面に手すりを押し付ける構成では対応できないという問題もあった。
一方、トイレの使用形態を洋式とする洋式便器は、便器本体を和式便器に固定する構成であるため、固定に力を要する、固定に係る作業が繁雑であるという問題が生じる。また、衛生を保つために適宜取り外して清掃を行うとき、脱着に力を要する、引掛金具、あるいは固定レバーの一部が脱落してしまうおそれがある等、取り外しに係る作業が繁雑であるという問題がある。さらに、和式便器に固定する構成であるため、固定具が排泄物などで汚れやすく、衛生面で劣るという問題がある。
【０００４】
本発明は、このような従来技術に存在する問題点に着目してなされたものである。その目的とするところは、手すりを手軽かつ簡易に設置することができる手すりの固定構造を提供することにある。その他の目的とするところは、便器本体の装着及び脱着に係る作業を容易なものとすることができるとともに、衛生的なものとすることができる洋式便器の固定構造を提供することにある。
【課題を解決するための手段】
【０００５】
上記の目的を達成するために、請求項１に記載の手すりの固定構造の発明は、和式便器の周辺に設置される手すりの固定構造であって、該手すりは、該和式便器の両側部に配置される一対の手すり本体と、該和式便器の金隠し又は該金隠しの周縁に押し付けられる押圧具と、該和式便器における該押圧具が押し付けられる箇所の対向位置又はトイレ床の段差部に当接される当接具とを有しており、該当接具を該和式便器又は該段差部に当接させたうえ、さらに該押圧具を該和式便器に押し付けて、該当接具と該押圧具で該和式便器を挟み付けるようにして該手すりを該和式便器に固定することを要旨とする。
上記構成によれば、手すりを和式便器に固定しており、トイレ床面、トイレ壁面に穴を開ける等のような煩雑な工事をする必要が無く、またトイレ床面、トイレ壁面に傷を付けることがない。その結果、手すりを手軽かつ簡易に設置することができる。また、手すりは、和式便器に固定されるようになっており、トイレ室の広さにかかわらず、取り付けを行うことができる。
【０００６】
また、請求項１に記載の手すりの固定構造の発明において、該押圧具は、該一対の手すり本体の間に架設された支持梁から進退自在に延設された支持杵の端部に首振り自在に取り付けられていることが望ましい。該押圧具を首振り自在とすることにより、該押圧具が和式便器の金隠し又は該金隠しの周縁に押し付けられる際、曲面状をなす和式便器の表面形状に対応しやすくなる。
【０００７】
また、請求項１に記載の手すりの固定構造の発明において、該当接具は、和式便器の下方を跨ぐようにして該一対の手すり本体の下端の間に架けわたされるとともに、該一対の手すり本体に対する上下位置を調節できるように取り付けられていることが望ましい。該当接具が和式便器の下方を跨ぐようにして該一対の手すり本体の下端の間に架けわたされることにより、該当接具を和式便器に引掛けやすくすることができ、また手すり本体に対する上下位置を調節できるようにすることで、トイレ床の段差部の高さ、あるいは和式便器のサイズに柔軟に対応することができる。
【０００８】
上記その他の目的を達成するために、請求項４に記載の洋式便器の固定構造の発明は、請求項１から請求項３の何れか一項に記載の手すりの固定構造を使用して、和式便器に被せられた洋式便器の便器本体を固定する洋式便器の固定構造であって、該手すりには該便器本体を固定するための固定装置が取り付けられており、該手すりを該和式便器に固定したうえで、該固定装置を該便器本体の周縁部外面に当接させ、さらに該固定装置で該便器本体をトイレ床に押しつけて、該便器本体をトイレ床上に固定することを要旨とする。
上記構成によれば、和式便器に固定された手すりの固定装置を利用して、洋式便器の便器本体をトイレ床面に固定しており、該固定装置が外部に露出し、その操作が行いやすいため、便器本体の装着及び脱着に係る作業が容易である。また、固定装置は、洋式便器の外面に当接されており、排泄物などが付着しづらく、衛生的である。
【０００９】
また、請求項４に記載の洋式便器の固定構造の発明において、該固定装置は、該手すりに設けられた取付部に回動可能に取り付けられた押圧部材と、該手すりの取付部を介して該押圧部材に螺着されたねじ部材とを備えており、該押圧部材の一端部を該便器本体の周縁部に接触させたうえで、該押圧部材に対してねじ部材を締め付けて、該押圧部材で該便器本体を押圧することが望ましい。この構成によれば、ねじ部材の締め付け、あるいは緩めという簡易な操作で押圧部材による押圧力を調節することができる。
【発明の効果】
【００１０】
本発明によれば、手すりを手軽かつ簡易に設置することができる。また便器本体の装着及び脱着に係る作業を容易なものとすることができるとともに、衛生的なものとすることができる。
【発明を実施するための最良の形態】
【００１１】
以下、本発明を具体化した一実施形態について説明する。
図１は、手すりの固定構造及びそれを利用した洋式便器の固定構造における全体の概略構成を示す斜視図であり、図２は、洋式便器を取り付ける状態を示す概略構成の斜視図である。
本実施形態において、トイレ床１０は、段差部１０Ａを有しており、該段差部１０Ａの上部に和式便器１１が既設されている。洋式便器１２は、該和式便器１１に被せるようにして、該トイレ床１０上に設置されている。また、和式便器１１の周辺には、該和式便器１１を取り囲むようにして手すり１３が設置されている。そして、該手すり１３には、固定装置１４が取り付けられており、洋式便器１２は、該固定装置１４によってトイレ床１０上に固定されている。
【００１２】
まず、洋式便器１２について説明する。洋式便器１２は、略椀状をなす便器本体１５と、該便器本体１５に回動可能に取り付けられた便座１６及び便蓋１７とからなる。そして、便器本体１５の中央部分は、開口されており、前記和式便器１１に被せられた際には、便器本体１５の内部が和式便器１１の内部と通じるようになっている。これら便器本体１５、便座１６及び便蓋１７は、着座時における加重に耐えつつ、清掃時等における利便性向上のため軽量化を図るとともに、排泄物などが付着しづらいものとするという観点から、ポリエチレン（ＰＥ）、ポリプロピレン（ＰＰ）などのポリオレフィン、アクリロニトリル・ブタジエン・スチレン共重合体（ＡＢＳ）等といった合成樹脂によって形成されている。なお、便器本体１５、便座１６及び便蓋１７のうち少なくとも何れか１つを、合成樹脂に限らず、陶器、金属などによって形成してもよい。
【００１３】
次に、手すり１３について説明する。手すり１３は、和式便器１１の両側部に配置される一対の手すり本体１８と、これら手すり本体１８を和式便器１１に固定するための手すり固定装置１９とを有している。
手すり本体１８は、棒状をなす横設材１８ａと、該横設材１８ａの端部に接合された縦設材１８ｂと、該縦設材１８ｂの上端部に取り付けられた肘置き１８ｃとからなる。該縦設材１８ｂは、金属パイプ、樹脂パイプ等のような中空筒体から形成されている。該横設材１８ａは、金属棒、樹脂棒等のような棒体、あるいは該縦設材１８ｂと同様の中空筒体から形成されている。該肘置き１８ｃは、該縦設材１８ｂへの取付位置を変更できるようになっている。また、手すり１３において、一対の手すり本体１８は、洋式便器１２を迂回するようにして配置される連結手すり１８ｄによって連結されている。
該手すり１３においては、洋式便器１２へ着座した際、該肘置き１８ｃに肘を載せることにより、体を安定に保持することができるようになっている。さらに、洋式便器１２へ着座する際、縦設材１８ｂ、肘置き１８ｃ、あるいは連結手すり１８ｄをつかむことにより、洋式便器１２へ着座しやすくなっている。加えて、該肘置き１８ｃは、使用者による使い勝手を向上するべく、該縦設材１８ｂに対する取付位置を変更してトイレ床１０からの高さを調整することができるようになっている。
【００１４】
図３に示すように、手すり固定装置１９は、和式便器１１の金隠し１１Ａに押し付けられる押圧具１９Ａと、トイレ床１０の段差部１０Ａに当接される当接具１９Ｂとを有している。
該当接具１９Ｂは、正面形状Ｕ字に形成されている。該当接具１９Ｂの両側上端部は、一対の手すり本体１８の縦設材１８ｂ内に挿入されている。該縦設材１８ｂの下端部には２つのネジ１９Ｃが螺着されている。そして、該当接具１９Ｂは、該ネジ１９Ｃを締め付けることにより、該縦設材１８ｂに固定され、該和式便器１１の下方を跨ぐようにして該一対の手すり本体１８の下端の間に架けわたされるように配置されている。また、該ネジ１９Ｃを緩めることにより、該縦設材１８ｂ内から該当接具１９Ｂを引き出すことが可能であり、該当接具１９Ｂは、該一対の手すり本体１８に対する上下位置を調節できるように構成されている。
該押圧具１９Ａは、長板を曲げることによって平面形状略Ｖ字に形成されている。一方、一対の手すり本体１８において、横設材１８ａの端部の間には支持梁１９Ｄが架設されている。該支持梁１９Ｄの中間部からは、一対の支持杵１９Ｅが和式便器１１に向かって延設されている。そして、該押圧具１９Ａは、該支持杵１９Ｅの端部に取り付けられている。また特に図示はしないが、該支持梁１９Ｄは、該縦設材１８ｂ及び該当接具１９Ｂの固定と略同様に、該横設材１８ａに対してボルトを用いて固定されている。このため、該支持梁１９Ｄは、該ボルトを緩める等することにより、和式便器１１のサイズに応じて、該横設材１８ａの長さ方向における固定位置を調節することができるようになっている。
【００１５】
図４に示すように、該支持梁１９Ｄにおいて、該支持杵１９Ｅの取付位置にはナット１９Ｆが接合されている。該支持杵１９Ｅは、該ナット１９Ｆに螺入または螺退することにより、該和式便器１１に対して進退自在に構成されている。該支持杵１９Ｅの該和式便器１１側となる端部には、該支持杵１９Ｅを螺入または螺退させるべく回転させるための回転ノブ１９Ｇが取り付けられるとともに、該回転ノブ１９Ｇには、ビス１９Ｈ及び座金１９Ｉを用いて取付板１９Ｊが取り付けられている。
該取付板１９Ｊは、その中央に凹設された収容部１９Ｋ内に回転ノブ１９Ｇの端部が挿入された状態で該回転ノブ１９Ｇに該ビス１９Ｈが該座金１９Ｉを介在させたうえで螺着されることによって取り付けられている。また、収容部１９Ｋ内において回転ノブ１９Ｇの端部の周囲には余裕が設けてあり、かつ該座金１９Ｉによって該回転ノブ１９Ｇの端部が該収容部１９Ｋ内から抜け出さないよう構成されているため、該取付板１９Ｊは、回転ノブ１９Ｇに対して揺動可能に取り付けられている。そして、該押圧具１９Ａは、その背面（和式便器１１側となる面と対向する面）に該取付板１９Ｊが接合されることによって該支持杵１９Ｅの端部に取り付けられるとともに、該取付板１９Ｊが該回転ノブ１９Ｇに対して揺動可能であるため該支持杵１９Ｅに対して首振り自在とされている。
【００１６】
図５に示すように、該手すり１３は、該当接具１９Ｂと該押圧具１９Ａで該和式便器１１を挟み付けるようにして、該和式便器１１に固定される。すなわち、該手すり１３を設置する場合には、一対の手すり本体１８をトイレ床１０の段差部１０Ａの上部に載置した後、該和式便器１１の下端と段差部１０Ａとによって形作られる角部に該当接具１９Ｂが引っ掛かるように、該当接具１９Ｂの該一対の手すり本体１８に対する上下位置を調節して該当接具１９Ｂを手すり本体１８に固定する。次いで、該支持杵１９Ｅを該和式便器１１に対して前進または後退させて、該押圧具１９Ａを該和式便器１１の金隠し１１Ａに押し付ける。すると、図５中に一点鎖線で示したように、該押圧具１９Ａと該当接具１９Ｂとは、該和式便器１１を挟んで対向位置に配置されているため、該当接具１９Ｂと該押圧具１９Ａで該和式便器１１を挟み付けるようにして該手すり１３が該和式便器１１に固定される。
【００１７】
該当接具１９Ｂは、該段差部１０Ａに当接したうえ、該和式便器１１の下端と段差部１０Ａとによって形作られる角部に引っ掛かっており、該手すり１３が横ずれなどすることを防止している。さらに、該押圧具１９Ａは、該支持杵１９Ｅに対して首振り自在とされており、曲面をなす該和式便器１１の金隠し１１Ａに好適な角度で押し付けられるため、該手すり１３の該和式便器１１への固定を確実なものとしている。従って、該手すり１３は、アンカーボルトを用いる等のような煩雑な工事、あるいはトイレ床１０の傷つきを必要とすることなく、該和式便器１１へ簡易且つ確実に固定される。加えて、アンカーボルトを用いる等の工事は、専門の業者に依頼する等の必要があるが、該手すり１３のような特に介護に使用する器具においては、介護者が被介護者の程度、あるいは介護のしやすさに応じて設置位置を微調整するため、専門の業者に依頼することなく介護者が任意に設置可能な当該手すり１３は、介護産業上で有用なものである。
なお、図５中では該押圧具１９Ａを該和式便器１１の金隠し１１Ａに押し付ける構成としたが、該和式便器１１にあっては種々の形態、あるいは様々なサイズのものが存在する。このため、該押圧具１９Ａを金隠し１１Ａに押し付ける構成に限らず、該金隠し１１Ａの周縁部、例えば和式便器１１のリム１１Ｂに押し付ける構成としてもよい。つまり、該押圧具１９Ａは、該支持杵１９Ｅに対して首振り自在とされているため、該和式便器１１の何れの箇所においても好適な角度で押し付けられるようになっている。
【００１８】
次いで、前記固定装置１４について説明する。図６は、固定装置の概略構成を示す分解斜視図であり、図７（ａ），（ｂ）は、固定装置で洋式便器を固定する状態を示す断面図である。
前記手すり１３において、手すり本体１８の横設材１８ａには、固定装置１４を取り付けるための取付部２０が立設されている。該取付部２０は、断面凹字状に形成されている。該取付部２０において、洋式便器１２における前後方向で対向する一対の側壁２０ａには、それぞれ一対ずつ合計二対の係合溝２１が形成されている。これら係合溝２１は、トイレ床１０側を下方として、斜め下方へ延びるとともに、側壁２０ａの端縁で開放されている。また、該取付部２０において、洋式便器１２における左右方向に位置する側壁２０ｂには、挿通孔２２が該側壁２０ｂの長手方向、つまりは洋式便器１２における上下方向へ延びる長孔状をなすように形成されている。
【００１９】
固定装置１４は、該取付部２０に装着される押圧部材２５と、該押圧部材２５に螺着されたねじ部材２６とを備えている。該押圧部材２５は、取付部２０に装着される基端部２５ａと、洋式便器１２の便器本体１５に係合される先端部２５ｂとからなる。
洋式便器１２における前後方向の面を側面として、該押圧部材２５の基端部２５ａの両側面で基端上部には、係合突部２７がそれぞれ突設されている。該押圧部材２５を取付部２０に装着する際、これら係合突部２７は、取付部２０の係合溝２１に挿入され、係合されるようになっている。また、押圧部材２５は、取付部２０に装着された状態で、該係合突部２７を中心として、洋式便器１２の上下方向に回動可能となっている。さらに、該基端部２５ａの基端面で下部には、ねじ部材２６を螺着するためのねじ孔２８が形成されている。
【００２０】
該押圧部材２５の先端部２５ｂにおいて、その一端部には、係合爪２９が取り付けられている。該係合爪２９は、断面Ｌ字状に形成されており、便器本体１５の側部において、周縁角部に係合されるようになっている（図７（ａ），（ｂ）参照）。また、該先端部２５ｂは、押圧部材２５の上面に設けられた調整ネジ３０を緩めることにより、基端部２５ａに対してスライド移動自在に構成されており、取付部２０から便器本体１５までの距離に応じて押圧部材２５を伸縮させて長さ調節することができるようになっている。なお、特に図示はしないが、係合爪２９において、便器本体１５と接触する部位には、ゴム、不織布などからなる軟質シートが貼り付けられており、便器本体１５の傷付きを抑制している。
該ねじ部材２６は、ハンドル２６ａと、該ハンドル２６ａの中心から延設されたボルト杵２６ｂとからなる。そして、該ねじ部材２６は、取付部２０の挿通孔２２にボルト杵２６ｂを挿通したうえで、該ボルト杵２６ｂを押圧部材２５のねじ孔２８に螺入することにより、取付部２０を介して押圧部材２５に螺着されている。
【００２１】
次に、固定装置１４による洋式便器１２の固定方法について説明する。なお、手すり１３は、上記した手順に従ってトイレ床１０に既に固定されているものとする。
洋式便器１２を固定する場合には、図２に示したように、まず洋式便器１２の便器本体１５を和式便器１１の上方から被せる。次いで、図７（ａ）に示したように、押圧部材２５を便器本体１５に係合させ、さらにハンドル２６ａを回してねじ部材２６を締め付ける。すると、押圧部材２５において、ねじ孔２８は、係合突部２７よりも下側（トイレ床１０側）に位置しているため、押圧部材２５は、図７（ｂ）に示したように、係合爪２９を下側へ移動させるように回動する。そして、このように押圧部材２５が回動した結果、便器本体１５は、該押圧部材２５によってトイレ床１０へと押圧されることとなり、トイレ床１０上に固定されることとなる。また、押圧部材２５が回動するとき、係合突部２７は、係合溝２１の内奥側（斜め上側）へ適宜位置ずれすることにより、押圧部材２５のがたつきを抑制し、該押圧部材２５による押圧力を便器本体１５に好適に加えるように構成されている。
【００２２】
一方、洋式便器１２の脱着方法は、上記固定方法とは逆にハンドル２６ａを回してねじ部材２６を緩めればよい。つまり、ねじ部材２６を緩めることにより、押圧部材２５は回動可能となる。従って、ねじ部材２６を適宜緩めたうえで、便器本体１５を上方へ引き上げれば、押圧部材２５が上方へ回動し、該押圧部材２５と便器本体１５との係合が解除される。また、便器本体１５は、既設の和式便器１１に対して何ら固定されていないため（図７（ａ），（ｂ）を参照）、ハンドル２６ａを緩めるのみで便器本体１５を上方へ引き上げ可能となり、洋式便器１２を簡易に脱着することができる。
【００２３】
上記のように、固定装置１４は、手すり１３に取り付けられているため、洋式便器１２の外部に露出している。従って、ハンドル２６ａを回しやすく、洋式便器１２の固定及び脱着に係る作業を容易に行うことができる。また、固定装置１４において、押圧部材２５の係合爪２９は、便器本体１５の外面に当接されているため、排泄物などが付着しづらく、衛生的である。特に、洋式便器１２の固定時及び脱着時に手で触れることとなるハンドル２６ａは、洋式便器１２の外部であり、さらに便器本体１５から離間した位置に配置されているため、衛生的であり、作業を行いやすい。
【００２４】
なお、上記取付部２０においては、使用する便器本体１５のトイレ床１０からの高さに応じて、二対の係合溝２１のうち何れか一方を選択し、押圧部材２５を係合する。また、図７（ａ）中に「Ｈ」として示す便器本体１５のトイレ床１０からの高さに対し、図７（ａ）中に「Ｌ」として示すトイレ床１０から係合溝２１の上縁までの長さは、Ｌ≦Ｈの関係を満たすことが好ましい。このようにＬ≦Ｈの関係を満たす場合、押圧部材２５が便器本体１５へ向かって回動しやすくなるため、より強い押圧力を加えることができる。また、押圧部材２５において、基端部２５ａの基端面を便器本体１５側へ傾斜する斜面状としてもよい。基端部２５ａの基端面をこのような斜面状とした場合も、押圧部材２５が便器本体１５へ向かって回動しやすくなるため、より強い押圧力を加えることができる。また、押圧部材２５において、係合爪２９を便器本体１５の上面に当接させることに限らず、例えば便器本体１５の側面にスリットを設け、該スリットに係合爪２９を差し込む構成としてもよい。
【００２５】
また、固定装置１４は、上記実施形態のように便器本体１５を両側部の２箇所で固定することに限らず、例えば一側部の１箇所で固定したり、あるいは便器本体１５の後部も合わせて３箇所で固定したり等してもよい。また、固定装置は、上記実施形態の構成に限らず、手すり１３に取り付けられ、さらに便器本体１５をトイレ床１０に押圧して固定可能ならば、何れの構成としてもよい。例えば、バネ性を有する金属プレートで固定装置を構成するとともに、該金属プレートを横設材１８ａに回動可能に取り付け、該金属プレートを撓ませつつ、便器本体１５の上面に当接させることにより、便器本体１５を固定してもよい。あるいは、横設材１８ａに固定装置１４を取り付けることに限らず、連結手すり１８ｄに固定装置１４を取り付けてもよい。
【図面の簡単な説明】
【００２６】
【図１】洋式便器の固定構造における全体の概略構成を示す斜視図。
【図２】洋式便器を取り付ける状態を示す概略構成の斜視図。
【図３】実施形態の手すりを示す分解斜視図。
【図４】押圧具を示す分解斜視図。
【図５】手すりを和式便器に固定した状態示す概念図。
【図６】固定装置の概略構成を示す分解斜視図。
【図７】（ａ）は固定装置で洋式便器を固定する状態を示す断面図、（ｂ）は固定装置で洋式便器を固定した状態を示す断面図。
【符号の説明】
【００２７】
１０…床面、１１…和式便器、１２…洋式便器、１３…手すり、１４…固定装置、１８…手すり本体、１９…手すり固定装置、１９Ａ…押圧具、１９Ｂ…当接具、１９Ｄ…支持梁、１９Ｅ…支持杵、２０…取付部、２５…押圧部材、２６…ねじ部材。
【図１】
2008079710.tif 000003
【図２】
2008079710.tif 000004
【図３】
2008079710.tif 000005
【図４】
2008079710.tif 000006
【図５】
2008079710.tif 000007
【図６】
2008079710.tif 000008
【図７】
2008079710.tif 000009